(57)【要約】【課題】  葬儀が始まる前に、その葬儀における宗派情報（宗派の作法やしきたり・宗派の起源・菩提寺の所在・本山の位置等）、特に、その葬儀における正しい焼香方法を、会葬者等に対し、予備知識として事前に教示し、会葬者が宗派の正しい知識を知った上で葬儀に臨むことができるようにした葬儀用映像装置の提供。【解決手段】  葬儀の祭壇付近又は／及び葬儀会場に設置された映像表示装置３と、宗派情報を映像で記録した記録媒体１と、記録媒体に記録された宗派情報を再生させる再生装置２を備え、葬儀が始まる前に、葬儀における宗派情報を映像表示装置を通して映像によって紹介する。【選択図】      図１
2005021570.tif 000002
【特許請求の範囲】
【請求項１】
葬儀が始まる前に、葬儀における宗派の作法やしきたり・宗派の起源・菩提寺の所在・本山の位置等の宗派情報を、葬儀の祭壇付近又は／及び葬儀会場に設置した映像表示装置を通して映像によって紹介することを特徴とした葬儀方法。
【請求項２】
葬儀の祭壇付近又は／及び葬儀会場に設置された映像表示装置と、
葬儀における宗派の作法やしきたり・宗派の起源・菩提寺の所在・本山の位置等の宗派情報を映像で記録した記録媒体と、
この記録媒体に記録された宗派情報を葬儀が始まる前に映像表示装置で再生させる再生装置と、を備えていることを特徴とした葬儀用映像装置。
【発明の詳細な説明】
【技術分野】
【０００１】
本発明は、葬儀（通夜、葬式、告別式等を含む）において、その葬儀における宗派情報（宗派の作法やしきたり・宗派の起源・菩提寺の所在・本山の位置等）を、会葬者等（遺族、親族、参列者等を含む）に対し、事前に予備知識として紹介させることができる葬儀方法及び葬儀用映像装置に関する。
【背景技術】
【０００２】
従来の葬儀は、「会葬者にとってどのような作法で執り行われるか？」が事前に知らされることがない。そのため特に会葬者が故人とは異なる宗派宗教であった場合、会葬者は戸惑いと不安感を持ったまま、式に参列し、焼香等の時間までの間、非常に不健康な精神状態を強いられる。
従って、故人を偲ぶ気持ちの余裕すら少なくなってしまい、本来の葬儀の目的である故人を深く理解し、偲ぶ行為が未達に終っていることが多い。
【０００３】
葬儀は、宗派の作法やしきたりに則った形式で行なわれるのが一般的であり、特に、葬儀の作法やしきたりの中の焼香については、宗派によってその方法が異なっている。
宗教に関心が少なくなった今日、各宗派ごとの焼香方法を把握している人は少なく、現に、葬儀に際し、間違った方法で焼香を行なっている場面や、個々まちまちの方法で焼香を行なっている場面や、列の前の人を真似して焼香を行なっている場面を見受けることが多い。
これでは、厳粛に行なわれるべき葬儀において、故人に対し非礼にもなりかねない。
【０００４】
なお、従来、葬儀の祭壇に設置したスクリーン等の映像表示装置に、故人の遺影や生前の活動を撮影したビデオを映すようにした葬儀方法が知られている（特許文献１参照）。
又、葬儀の祭壇に設置したスクリーン等の映像表示装置に、宗派別の祭壇映像を映すようにした祭壇映像装置が知られている（特許文献１参照）。
【特許文献１】特開平１０-２４３８７１号公報
【特許文献２】特開昭６１−１７６３１３号公報
【０００５】
しかしながら、前者の葬儀方法は、葬儀の演出効果を目的として、故人の遺影や生前の活動を撮影したビデオを映すもので、宗派情報（宗派の作法やしきたり・宗派の起源・菩提寺の所在・本山の位置等）を映すものではないし、特に、葬儀が開始した後、葬儀進行中に映像を映すもので、葬儀が始まる前に使用することはない。
【０００６】
また、後者の祭壇映像装置についても、その葬儀に用いる祭壇を宗派別に対応させるためのものであり、宗派情報（宗派の作法やしきたり・宗派の起源・菩提寺の所在・本山の位置等）を映すものではない。
【発明の開示】
【発明が解決しようとする課題】
【０００７】
本発明は、上記のような実情に鑑み、葬儀が始まる前に、その葬儀における宗派情報（宗派の作法やしきたり・宗派の起源・菩提寺の所在・本山の位置等）、特に、その葬儀における正しい焼香方法を、会葬者等（遺族、親族、参列者等を含む）に対し、予備知識として事前に教示し、会葬者が宗派の正しい知識を知った上で葬儀に臨むことができるようにした葬儀方法及び葬儀用映像装置を提供することを課題としている。
【課題を解決するための手段】
【０００８】
上記課題を解決するために、本発明の葬儀方法（請求項１）は、
葬儀が始まる前に、葬儀における宗派情報（宗派の作法やしきたり・宗派の起源・菩提寺の所在・本山の位置等）を、葬儀の祭壇付近（祭壇の横や祭壇上）又は／及び葬儀会場（葬儀場の受付、待合室、ロビー等、できるだけ会葬者の目に付き易い場所）に設置した映像表示装置を通して映像（動画や静止画）によって紹介する構成とした。
【０００９】
又、本発明の葬儀用映像装置（請求項２）は、
葬儀の祭壇付近（祭壇の横や祭壇上）又は／及び葬儀会場（葬儀場の受付、待合室、ロビー等、できるだけ会葬者の目に付き易い場所）に設置された映像表示装置と、
葬儀における宗派情報（宗派の作法やしきたり・宗派の起源・菩提寺の所在・本山の位置等）を映像（動画や静止画）で記録した記録媒体と、
この記録媒体に記録された宗派情報を葬儀が始まる前に映像表示装置で再生させる再生装置と、を備えている構成とした。
【発明の効果】
【００１０】
以上説明したように、本発明の葬儀方法及び葬儀用映像装置にあっては、葬儀の開始前に映像によって予め宗派情報を紹介するものであるため、会葬者にあと１時間以内に実体験する葬儀での作法やしきたりを事前に教示、擬似体験させることができ、厳粛な葬儀の雰囲気を確保しながら、参列者がスムーズに作法やしきたり通りにお参りができる。
特に、会葬者等に宗派に応じた焼香方法を映像によって教示させることができるため、会葬者は、事前にその葬儀の宗派に応じた焼香方法を知り得て、正しい方法で焼香を行なうことができる。
【発明を実施するための最良の形態】
【００１１】
まず、本実施例の葬儀方法を説明する。
従来の葬儀は、一般的に以下のような式次第で執り行われる。
（１）開式の辞、（２）一同着席、（３）導師入場、（４）読経（宗教によっては説法等）、（５）弔辞・焼香（宗教によっては献花・玉串奉奠）、（６）導師退場、（７）弔電披露、（８）喪主挨拶、（９）ナレーション、（１０）閉式の辞。
【００１２】
葬儀では、事前に「受付」が行われた後、所定の席に案内され着席する。
そして、本実施例の葬儀方法では、「（１）開式の辞」までの間の時間を利用して、葬儀における宗派情報（宗派の作法やしきたり（焼香方法等）・宗派の起源・菩提寺の所在・本山の位置等）を、葬儀の祭壇付近及び葬儀会場に設置した映像表示装置及びスピーカを通して映像（動画や静止画）及び音声によって紹介するものである。
従って、本発明の葬儀方法では、「（１）開式の辞」の前段ステップとして、「本日のお葬儀の宗派・菩提寺・焼香作法等の御案内」という項目が追加される。
【００１３】
この「本日のお葬儀の宗派・菩提寺・焼香作法等の御案内」によって、各種の仏式、キリスト式等、宗派ごとに取材し、編集した映像と音声（音楽を含む）により、会葬者は参列した葬儀がどのような宗教で、どのような事を教義としているかを予め知ることができ、のちに会葬者自身が葬儀で執り行うことになる「焼香」、「献花」という作法を事前に知ることができ、戸惑うことなく「焼香」、「献花」等に臨むことができる。
【００１４】
この場合、宗派情報に加えて、個人の生前の写真やビデオを放映することもでき、これにより葬儀が始まる前に、参列者は個人の情報を入手することができる。
【００１５】
なお、この実施例では、宗派情報を映像だけでなく、音声によっても紹介しているため、宗派情報を理解し易くなるし、特に、宗派情報の紹介を、葬儀を開始する前に行なうため、音声が読経等の葬儀の進行の妨げになることはない。
【００１６】
次に、本発明の葬儀用映像装置の実施例を図面により説明する。
図1は本発明の葬儀用映像装置の１例を示す全体図である。
【００１７】
この葬儀用映像装置Ａは、記録媒体としてのビデオテープ１と、再生装置としてのビデオデッキ２と、映像表示装置３及びスピーカー４を一体に組み込んだテレビモニター５を備えている。
【００１８】
前記ビデオテープ１には、宗派に応じた宗派情報が映像及び音声（音楽を含む）で記録されている。
例えば、その葬儀が日蓮宗で執り行われるものであれば、宗派情報の焼香方法として、祭壇に向かって合掌し、次に、抹番を摘んでいただき、次に、３回番炉に入れ、再び祭壇に向かって合掌するという動作を、人間のモデルを使って実際に行なわせ、これをビデオカメラによって記録するようにしてもよいし、あるいは、アニメションによって記録するようにしてもよい。この時、同時に音声によって焼香方法の解説を録音する。
【００１９】
又、宗派情報として、焼香方法の他に、宗派の紹介、本山の紹介、題目（念仏）の紹介、葬儀での作法や注意事項（例えば、「携帯電話の電源を切ってください」との注意等）を記録させている。
【００２０】
なお、この実施例では、宗派情報を映像として録画すると共に、焼香方法の動作や宗派の紹介場面等に合わせた解説を音声で録音するようにしているが、音声の代わりに、テロップ等の文字による解説を記録（録画）させるようにすれば、必ずしも音声は必要でない。
また、１本のビデオテープ１に同一内容を複数回繰り返して記録させるようにしてもよい。
【００２１】
そして、各宗派（例えば、日蓮宗、浄土宗、浄土真宗等）ごとに、前記のような宗派情報を記録した複数種類のビデオテープ１Ａ，１Ｂ，１Ｃを作成しておき、これらの中からその日に行なわれる葬儀の宗派に対応したビデオテープを選択し、使用するものである。
この場合、ビデオテープ１Ａ，１Ｂ，１Ｃには、宗派を区別するために、宗派名を記したラベルを貼っておくことになる。
【００２２】
なお、記録媒体とては、ビデオテープ（ＶＨＳ方式、ベータ方式）以外に、ＣＤ、ＤＶＤ、ＭＯ等のディスクやパソコンのハードディスク、その他、映像（画像）録画用のメモリーカードやメモリーチップ、音声（音楽を含む）録音用の録音テープ等を用いることができる。
【００２３】
前記ビデオデッキ２は、前記ビデオテープ１に記録した映像及び音声を再生させるためのもので、映像表示装置３及びスピーカー４を備えたテレビモニター５に配線６で接続されている。
なお、再生装置（ビデオデッキ２）とテレビモニター５（映像表示装置３及びスピーカー４）との接続は、状況に応じて、配線６による有線又は無線を用いることができる。
【００２４】
従って、このビデオデッキ２にビデオテープ１を挿入セットし、ビデオデッキ２の再生ボタンスイッチを入れることにより、ビデオテープ１に記録した映像を映像表示装置３によって表示させることができると同時に、音声をスピーカー４によって発声させることができる。
【００２５】
なお、再生装置２は、記録媒体に対応したものを用いるもので、例えば、記録媒体がＤＶＤディスクの場合には、ＤＶＤ再生装置を用いることになる。このほか、プロジェクタ等の再生装置を用いることができる。
又、映像を録画したメモリーカードをデジタルカメラで再生すると共に、音声を録音した録音テープをテープレコーダで再生させるというように、映像と音声を別々の再生装置によって再生させることもできる。
又、再生装置２として、読み出し装置（ハードディスクドライブ）を備えたパソコンを用いることができる。
【００２６】
又、映像表示装置３としては、ブラウン管モニター、液晶モニター、透過型液晶モニター、プラズマモニター等の映像表示装置の他、プロジェクタ用のスクリーンを用いることができるし、再生装置と映像表示装置が一体になったもの（例えば、テレビデオ）を用いることができる。
又、スピーカー４についても、テレビモニター５のように、映像表示装置３と一体に組み込んだものでもよいし、映像表示装置３とは別体のものを用いてもよい。
【００２７】
そして、前記テレビモニター５（映像表示装置３及びスピーカー４）を、葬儀の祭壇付近（祭壇の横や祭壇上）及び葬儀会場（葬儀場の受付、待合室、ロビー等、できるだけ会葬者の目に付き易い場所）に設置しておく。
なお、テレビモニター５を、祭壇付近だけ、或いは葬儀会場だけに設置するようにしてもよいが、葬儀の祭壇付近と葬儀会場に複数台設置しておくのが好ましい。
【００２８】
又、テレビモニター５だけを、前記した祭壇付近や葬儀会場に設置し、ビデオデッキ２（再生装置）を葬儀場の事務所等に設置して、放映時間を管理したり、或いは、再生装置をタイマーにより制御して放映時間を管理することもできる。
この場合、１本のビデオテープ１に同一内容を複数回繰り返して記録させるようにしておけば、１回毎にテープを巻き戻し、再生させるといった手間が省けるため、便利に使用できる。
【図面の簡単な説明】
【００２９】
【図１】本発明の葬儀用映像装置の１例を示す全体図である。
【符号の説明】
【００３０】
Ａ  葬儀用映像装置
１Ａ（１）  ビデオテープ（記録媒体）
１Ｂ（１）  ビデオテープ（記録媒体）
１Ｃ（１）  ビデオテープ（記録媒体）
２  ビデオデッキ（再生装置）
３  映像表示装置
４  スピーカー
５  テレビモニター
６  配線
【図１】
2005021570.tif 000003